(57)【要約】【課題】出力する音声をデジタル音声放送チャネル間でシームレスに切り替える、小規模な構成による「デジタル音声放送受信装置」を提供する。【解決手段】制御部１０７は、現用系のデジタルチューナ１０１の受信状態が劣化したならば、受信中チャネルと同じプログラムを放送している他のデジタル音声放送のチャネルを代替チャネルとして算定し、待機系のデジタルチューナ１０１に代替チャネルを受信させる。バッファ制御部１０８は、圧縮符号化音声データを収容した音声フレームのデータパターンの一致に基づいて、現用系の入力バッファ１０４と待機系の入力バッファ１０４に格納されている音声フレームの対応を算定し、算定した対応に基づいて再生時刻上の順番が連続した形態で各音声フレームがオーディオデコーダ１０９に転送されるように、転送元の入力バッファ１０４を現用系の入力バッファ１０４から待機系の入力バッファ１０４に切り替える。【選択図】図１
2014154989.tif 000002
【特許請求の範囲】
【請求項１】
圧縮符号化された音声データである符号化音声データの列を放送するデジタル音声放送を受信するデジタル音声放送受信装置であって、
第１の受信部と、
第２の受信部と、
符号化音声データの転送を受け、転送された符号化音声データを音声データに復号するオーディオデコーダと、
オーディオデコーダが復号した音声データが表す音声を出力する音声出力手段と、
制御手段とを有し、
前記第１の受信部と前記第２の受信部は、それぞれ、デジタルチューナと、当該デジタルチューナで受信した符号化音声データが格納される入力バッファとを備え
前記制御手段は、前記第１の受信部と前記第２の受信部とのうちの一方を現用系の受信部として他方を待機系の受信部として用いて、前記現用系の受信部のデジタルチューナに放送チャネルを受信させると共に、前記現用系の受信部のデジタルチューナの受信状態が良好な期間中、前記現用系の受信部の入力バッファに格納された符号化音声データを前記オーディオデコーダに転送すると共に、
前記現用系の受信部のデジタルチューナの受信状態が劣化したときに、前記待機系の受信部のデジタルチューナに、前記現用系の受信部のデジタルチューナが受信している放送チャネルと同内容を放送している他の放送チャネルの受信を開始させ、その後に、前記現用系の受信部の前記入力バッファに格納されている符号化音声データと、当該符号化音声データと同一の前記待機系の受信部の入力バッファに格納されている符号化音声データとの対応を、符号化音声データのデータパターンの一致に基づいて算定し、前記算定した対応に基づいて、前記現用系の受信部の入力バッファに格納されている符号化音声データの前記オーディオデコーダへの転送の停止と前記待機系の受信部の入力バッファに格納されている符号化音声データの前記オーディオデコーダへの転送の開始とを、前記転送の停止前に前記オーディオデコーダに前記現用系の受信部の入力バッファから最後に転送した符号化音声データに引き続いて、前記待機系の受信部の入力バッファに格納されている、前記最後に転送した符号化音声データと同一の符号化音声データに後続する符号化音声データが前記オーディオデコーダに転送されるように行うことを特徴とするデジタル音声放送受信装置。
【請求項２】
請求項１記載のデジタル音声放送受信装置であって、
前記制御手段は、前記現用系の受信部の入力バッファに格納されている符号化音声データの前記オーディオデコーダへの転送の停止と前記待機系の受信部の入力バッファに格納されている符号化音声データの前記オーディオデコーダへの転送の開始とを行ったならば、以降、前記第１の受信部と前記第２の受信部のうちで現用系として用いる受信部と待機系として用いる受信部とを交代することを特徴とするデジタル音声放送受信装置。
【請求項３】
請求項１または２記載のデジタル音声放送受信装置であって、
前記符号化音声データは圧縮符号化された音声データをフレーム化した音声フレームであり、
前記制御手段は、前記現用系の受信部のデジタルチューナの受信状態が劣化したときに、前記待機系の受信部のデジタルチューナに、前記現用系の受信部のデジタルチューナが受信している放送チャネルと同内容を放送している他の放送チャネルの受信を開始させ、その後に、前記現用系の受信部の前記入力バッファに格納されている音声フレームと、当該音声フレームと同一の前記待機系の受信部の入力バッファに格納されている音声フレームとの対応を、音声フレーム全体もしくはその一部のデータパターンの一致に基づいて算定し、前記算定した対応に基づいて、前記現用系の受信部の入力バッファに格納されている音声フレームの前記オーディオデコーダへの転送の停止と前記待機系の受信部の入力バッファに格納されている音声フレームの前記オーディオデコーダへの転送の開始とを、前記転送の停止前に前記オーディオデコーダに前記現用系の受信部の入力バッファから最後に転送した音声フレームに引き続いて、前記待機系の受信部の入力バッファに格納されている、前記最後に転送した音声フレームと同一の音声フレームに後続する音声フレームが前記オーディオデコーダに転送されるように行うことを特徴とするデジタル音声放送受信装置。
【発明の詳細な説明】
【技術分野】
【０００１】
本発明は、デジタル音声放送受信装置において、受信中のチャネルに受信不良が生じたときに、出力する音声を、受信中のチャネルと同内容を放送している他のチャネルで受信した音声にシームレスに切り替える技術に関するものである。
【背景技術】
【０００２】
デジタル音声放送受信装置において、受信中のチャネルに受信不良が生じたときに、出力する音声を、受信中のチャネルと同内容を放送している他のチャネルで受信した音声にシームレスに切り替える技術としては、受信中のデジタル音声放送のチャネルで受信した音声データを再生した音声と、受信中のチャネルと同内容を放送している他のアナログ音声放送のチャネルで受信した音声とを比較することにより、デジタル音声放送のチャネルで受信した音声データを再生した音声に対するアナログ音声放送のチャネルで受信した音声の遅延時間を算出し、算出した遅延時間分、アナログ音声放送のチャネルで受信した音声を遅延させた上で、出力する音声を、デジタル音声放送のチャネルで受信した音声データを再生した音声から、アナログ音声放送のチャネルで受信した音声に切り替える技術が知られている（たとえば、特許文献１）。
【先行技術文献】
【特許文献】
【０００３】
【特許文献１】特開平１０-２４７８５５号公報
【発明の概要】
【発明が解決しようとする課題】
【０００４】
デジタル音声放送受信装置において、受信中のデジタル音声放送のチャネルＡに受信不良が生じたときに、出力する音声を、受信中のチャネルＡと同内容を放送している他のデジタル音声放送のチャネルＢで受信した音声にシームレスに切り替える場合に、上述の技術を適用し、デジタル音声放送の二つのチャネルＡ、Ｂで受信した音声データを再生した音声同士を比較して遅延時間を算出し、算出した遅延時間分、チャネルＢで受信した音声を遅延させた上で、出力する音声を、チャネルＡで受信した音声データを再生した音声からチャネルＢで受信した音声データを再生した音声に切り替えることとすると、音声データを音声に再生するためのオーディオデコーダや、これに付随するバッファなどが２チャネル分必要となるため、デジタル音声放送受信装置の規模が増大し、コストの上昇などを招くこととなる。
【０００５】
そこで、本発明は、出力する音声をデジタル音声放送チャネル間でシームレスに切り替える、小規模な構成によるデジタル音声放送受信装置を提供することを課題とする。
【課題を解決するための手段】
【０００６】
前記課題達成のために、本発明は、圧縮符号化された音声データである符号化音声データの列を放送するデジタル音声放送を受信するデジタル音声放送受信装置に、第１の受信部と、第２の受信部と、符号化音声データの転送を受け、転送された符号化音声データを音声データに復号するオーディオデコーダと、オーディオデコーダが復号した音声データが表す音声を出力する音声出力手段と、制御手段とを設けたものである。ここで、前記第１の受信部と前記第２の受信部は、それぞれ、デジタルチューナと、当該デジタルチューナで受信した符号化音声データが格納される入力バッファとを備えている。また、前記制御手段は、前記第１の受信部と前記第２の受信部とのうちの一方を現用系の受信部として他方を待機系の受信部として用いて、前記現用系の受信部のデジタルチューナに放送チャネルを受信させると共に、前記現用系の受信部のデジタルチューナの受信状態が良好な期間中、前記現用系の受信部の入力バッファに格納された符号化音声データを前記オーディオデコーダに転送すると共に、前記現用系の受信部のデジタルチューナの受信状態が劣化したときに、前記待機系の受信部のデジタルチューナに、前記現用系の受信部のデジタルチューナが受信している放送チャネルと同内容を放送している他の放送チャネルの受信を開始させ、その後に、前記現用系の受信部の前記入力バッファに格納されている符号化音声データと、当該符号化音声データと同一の前記待機系の受信部の入力バッファに格納されている符号化音声データとの対応を、符号化音声データのデータパターンの一致に基づいて算定し、前記算定した対応に基づいて、前記現用系の受信部の入力バッファに格納されている符号化音声データの前記オーディオデコーダへの転送の停止と前記待機系の受信部の入力バッファに格納されている符号化音声データの前記オーディオデコーダへの転送の開始とを、前記転送の停止前に前記オーディオデコーダに前記現用系の受信部の入力バッファから最後に転送した符号化音声データに引き続いて、前記待機系の受信部の入力バッファに格納されている、前記最後に転送した符号化音声データと同一の符号化音声データに後続する符号化音声データが前記オーディオデコーダに転送されるように行う。
【０００７】
ここで、このようなデジタル音声放送受信装置は、前記制御手段において、前記現用系の受信部の入力バッファに格納されている符号化音声データの前記オーディオデコーダへの転送の停止と前記待機系の受信部の入力バッファに格納されている符号化音声データの前記オーディオデコーダへの転送の開始とを行ったならば、以降、前記第１の受信部と前記第２の受信部のうちで現用系として用いる受信部と待機系として用いる受信部とを交代するように構成してもよい。
【０００８】
また、以上のデジタル音声放送受信装置は、前記符号化音声データが圧縮符号化された音声データをフレーム化した音声フレームである場合には、前記制御手段において、前記現用系の受信部のデジタルチューナの受信状態が劣化したときに、前記待機系の受信部のデジタルチューナに、前記現用系の受信部のデジタルチューナが受信している放送チャネルと同内容を放送している他の放送チャネルの受信を開始させ、その後に、前記現用系の受信部の前記入力バッファに格納されている音声フレームと、当該音声フレームと同一の前記待機系の受信部の入力バッファに格納されている音声フレームとの対応を、音声フレーム全体もしくはその一部のデータパターンの一致に基づいて算定し、前記算定した対応に基づいて、前記現用系の受信部の入力バッファに格納されている音声フレームの前記オーディオデコーダへの転送の停止と前記待機系の受信部の入力バッファに格納されている音声フレームの前記オーディオデコーダへの転送の開始とを、前記転送の停止前に前記オーディオデコーダに前記現用系の受信部の入力バッファから最後に転送した音声フレームに引き続いて、前記待機系の受信部の入力バッファに格納されている、前記最後に転送した音声フレームと同一の音声フレームに後続する音声フレームが前記オーディオデコーダに転送されるように行うように構成してもよい。
【０００９】
以上のようなデジタル音声放送受信装置によれば、オーディオデコーダなどを２系統備えずとも、デジタルチューナと入力バッファとを２系統備えれば、遅延のある放送チャネル間のシームレスな音声の切替を実現することができる。
【発明の効果】
【００１０】
以上のように、本発明によれば、出力する音声をデジタル音声放送チャネル間でシームレスに切り替える、小規模な構成によるデジタル音声放送受信装置を提供することができる。
【図面の簡単な説明】
【００１１】
【図１】本発明の実施形態に係るデジタル音声放送受信装置の構成を示すブロック図である。
【図２】本発明の実施形態に係るシームレス音声切替処理を示すフローチャートである。
【図３】本発明の実施形態に係る入力バッファ切替処理を示すフローチャートである。
【図４】本発明の実施形態に係る入力バッファ切替処理の処理例を示す図である。
【発明を実施するための形態】
【００１２】
以下、本発明の実施形態について説明する。
図１に、本実施形態に係るデジタル音声放送受信装置の構成を示す。
図示するように、デジタル音声放送受信装置は、デジタル音声放送を受信するデジタルチューナ１０１と多重分離部１０２と音声フレーム復元部１０３と入力バッファ１０４とを２系統備えており、このうちの１系統が現用系として用いられ、もう１系統は待機系として用いられる。
【００１３】
また、デジタル放送受信装置は、表示部１０５、操作部１０６、制御部１０７、バッファ制御部１０８、オーディオデコーダ１０９、出力バッファ１１０、ＤＡコンバータ１１１（ＤＡＣ１１１）、アンプ１１２、スピーカ１１３を備えている。
ここで、制御部１０７は、ユーザから操作部１０６を介して受信するデジタル音声放送のチャネルの設定を受け付け、設定を受け付けたチャネルを現用系のデジタルチューナ１０１に受信チャネルとして設定する。
一方、現用系のデジタルチューナ１０１は、受信チャネルとして設定されたデジタル音声放送のチャネルの放送データを受信し、同系統の多重分離部１０２に出力する。ここで、デジタル音声放送の放送データには、当該放送データと同じプログラム（内容）の放送データを放送している他のデジタル音声放送のチャネルの識別等を表す制御情報と、タイムインタリーブされた音声ストリームデータとが含まれている。また、音声ストリームデータには、音声を表す音声データを圧縮符号化しフレーム化した音声フレームが、音声データの再生時刻順に含まれている。
【００１４】
ここで、各デジタルチューナ１０１は、受信チャネルとして設定されたデジタル音声放送のチャネルの受信状態の良/不良のレベルを検出し制御部１０７に通知する処理も行う。
次に、多重分離部１０２は、同系統のデジタルチューナ１０１から出力される放送データから制御情報を分離して制御部１０７に出力すると共に、デジタルチューナ１０１から出力される放送データからタイムインタリーブされた音声ストリームデータを分離して同系統の音声フレーム復元部１０３に出力する。
【００１５】
音声フレーム復元部１０３は、同系統の多重分離部デジタルチューナから出力されるタイムインタリーブされた音声ストリームデータに対してタイムデインタリーブ等の処理を施して音声フレームを復元し、復元した音声フレームを、音声フレームに含まれている圧縮符号化された音声データの再生時刻順に、同系統の入力バッファ１０４に格納する。
【００１６】
バッファ制御部１０８は、現用系の入力バッファ１０４に格納されている音声フレームのオーディオデコーダ１０９への順次転送を制御し、オーディオデコーダ１０９は転送された音声フレームに格納されている圧縮符号化された音声データのデコードを行い、デコードした音声データを出力バッファ１１０に格納する。
【００１７】
そして、出力バッファ１１０に格納された音声データは、順次ＤＡＣ１１１に転送されてアナログ音声信号に変換され、アンプ１１２で増幅された後にスピーカ１１３に出力され、スピーカ１１３からアナログ音声信号が表す音声がユーザに対して出力される。
以下、このようなデジタル音声放送受信装置において行う、受信中のチャネルに受信不良が生じたときに、出力する音声を、受信中のチャネルと同内容を放送している他のチャネルで受信した音声にシームレスに切り替えるシームレス音声切替動作について説明する。
【００１８】
図２に、制御部１０７が、シームレス音声切替動作のために行うシームレス音声切替処理の手順を示す。
図示するように、この処理では、現用系のデジタルチューナ１０１の受信状態の所定の基準よりの劣化を、現用系のデジタルチューナ１０１から出力される受信状態の良/不良のレベルに基づいて監視する（ステップ２０２）。
そして、現用系のデジタルチューナ１０１の受信状態が所定の基準より劣化したならば、現用系の多重分離部１０２から出力された制御情報より、現用系のデジタルチューナ１０１で受信しているチャネルと、同じプログラム（内容）の放送データを放送している他のデジタル音声放送のチャネルを代替チャネルとして算定する（ステップ２０４）。
【００１９】
次に、待機系のデジタルチューナ１０１に代替チャネルを受信チャネルとして設定し、待機系のデジタルチューナ１０１の代替チャネルの受信状態を調べる（ステップ２０６）。
そして、代替チャネルの受信状態が良好でなければ（ステップ２０８）、ステップ２０２からの処理に戻る。
一方、代替チャネルの受信状態が良好であれば、待機系で代替チャネルの放送データの処理を開始する（ステップ２１０）。すなわち、待機系の多重分離部１０２と音声フレーム復元部１０３に、待機系のデジタルチューナ１０１で受信した代替チャネルの放送データに含まれる音声フレームを、待機系の入力バッファ１０４に順次格納させる。
【００２０】
そして、バッファ制御部１０８に入力バッファ切替処理の実行を指示する（ステップ２１２）。ここで、バッファ制御部１０８が行う入力バッファ切替処理については後述する。
そして、バッファ制御部１０８から入力バッファ切替処理の実行終了の通知を受け取ったならば（ステップ２１４）、現用系と待機系とを交代することにより、今までの待機系を現用系に、今までの現用系を待機系に設定し（ステップ２１６）、ステップ２０２からの処理に戻る。
【００２１】
以上、制御部１０７が行うシームレス音声切替処理について説明した。
次に、制御部１０７のシームレス音声切替処理のステップ２１２の実行の指示に従って、バッファ制御部１０８で実行が開始される入力バッファ切替処理について説明する。
図３に、このバッファ制御部１０８が行う入力バッファ切替処理の手順を示す。
図示するように、この処理では、入力バッファ切替処理開始時点前、すなわち、待機系の入力バッファ１０４への代替チャネルの音声フレームの格納開始前に、現用系の入力バッファ１０４に格納された音声フレームのオーディオデコーダ１０９への転送の完了を待つ（ステップ３０２）。
【００２２】
次に、現用系の入力バッファ１０４に格納されているオーディオデコーダ１０９に未転送の各音声フレームに、当該音声フレームに含まれている圧縮符号化された音声データの再生時刻順に順番を与え、待機系の入力バッファ１０４に格納されているオーディオデコーダ１０９に未転送の各音声フレームに、当該音声フレームに含まれている圧縮符号化された音声データの再生時刻順に順番を与えるものとして、待機系の入力バッファ１０４に格納されてる音声フレームであって、現用系の入力バッファ１０４のｍ番目の音声フレームと一致する音声フレームを探索する（ステップ３０４）。ここで、ｍは、同じプログラムを放送している異なるチャネル間の最大遅延時間をＴmaxとして、時間Ｔmax中にデジタル音声放送で転送される音声フレームの数とする。
【００２３】
また、音声フレーム同士の一致は、音声フレーム全体のデータパターンの一致により判定してもよいし、音声フレームの一部のデータパターンの一致より判定するようにしてもよい。また、音声フレーム同士の一致を音声フレームの一部のデータパターンの一致より判定する場合には、当該一致を判定する音声フレームの一部としては、たとえば、音声フレームがmp2フォーマットによるものである場合には、音声フレームに含まれるスケールファクター（周波数帯域毎の音量）や、音声フレームにCRCが含まれる場合における当該CRCなどを用いることができる。また、音声フレーム同士の一致は、当該音声フレーム同士の一致に加え、前後の音声フレーム同士も一致することをもって判定するようにしてもよい。すなわち、現用系の入力バッファ１０４のｍ-1番目とｍ番目とｍ+1番目の音声フレームと、待機系の入力バッファ１０４のｗ-1番目とｗ番目とｗ+1番目の音声フレームとが各々一致したときに、現用系の入力バッファ１０４のｍ番目の音声フレームと、待機系の入力バッファ１０４のｗ番目の音声フレームが一致したと判定するようにしてもよい。
【００２４】
そして、探索した音声フレームの待機系の入力バッファ１０４中の順番をｋとして、ｐ=ｋ-ｍを算出する（ステップ３０６）。
そして、現用系の入力バッファ１０４に格納されている、ステップ３０４-３０６実行時点においてｎ番目の音声フレームであった音声フレームのオーディオデコーダ１０９への転送の終了を待つ（ステップ３０８）。ここで、ｎは、-ｐ以上の正の整数であり、たとえば、ｎは、-ｐ以上の正の整数のうちの最小の数とする。
そして、現用系の入力バッファ１０４に格納されているｎ番目の音声フレームのオーディオデコーダ１０９への転送が終了したならば（ステップ３０８）、現用系の入力バッファ１０４に格納されている音声フレームのオーディオデコーダ１０９への転送を終了し（ステップ３１０）、待機系の入力バッファ１０４に格納されているステップ３０４-３０６実行時点においてｎ+ｐ+1番目の音声フレーム以降の順番の音声フレームについて、待機系の入力バッファ１０４に格納されてる音声フレームのオーディオデコーダ１０９への順次転送を開始する（ステップ３１２）。
【００２５】
そして、入力バッファ切替処理の実行終了を制御部１０７に通知し（ステップ３１４）、入力バッファ切替処理を終了する。
以下、このような入力バッファ切替処理の動作例を図４に示す。
いま、現用系のデジタルチューナ１０１で受信しているチャネルの放送データよりも、代替チャネルの放送データが、２音声フレーム相当分遅延しているものとする。
また、待機系の入力バッファ１０４への代替チャネルの音声フレームの格納が開始された後に、現用系のデジタルチューナ１０１が最初に受信した音声フレームが音声フレームF(t=n-4)であり、待機系のデジタルチューナ１０１が最初に受信した音声フレームが音声フレームF(t=n-6)であるものとする。
【００２６】
すると、この場合、待機系の入力バッファ１０４への代替チャネルの音声フレームの格納開始前に現用系の入力バッファ１０４に格納された音声フレームのオーディオデコーダ１０９への転送が完了した時点では、図４ａに示すように現用系の入力バッファ１０４には、F(t=n-4)以降の音声フレームが格納され、待機系の入力バッファ１０４にはF(t=n-6)以降の音声フレームが格納された状態となる。
【００２７】
そして、この時点で、入力バッファ切替処理は、ｍ=５として説明すると、現用系の入力バッファ１０４の５番目（N0.5)の音声フレームF(t=n)と一致する音声フレームを待機系の入力バッファ１０４から探索する。そして、この場合には、待機系の入力バッファ１０４の７番目（N0.7)の音声フレームF(t=n)が探索される。
【００２８】
また、探索された音声フレームが７番目の音声フレームであるので、ｋ=７、ｐ=ｋ-ｍ=２となる。
次に、ｎを-ｐ以上の正の整数のうちの最小の数とすることとすると、ｎ=１となるので、現用系の入力バッファ１０４の１番目の音声フレームF(t=n-4)のオーディオデコーダ１０９への転送が完了したならば、入力バッファ切替処理は、現用系の入力バッファ１０４からの音声フレームのオーディオデコーダ１０９の転送を終了し、待機系の入力バッファ１０４の音声フレームのオーディオデコーダ１０９への転送を、待機系の入力バッファ１０４のｎ+ｐ+1=４番目の音声フレームF(t=n-3)から開始する。
【００２９】
結果、オーディオデコーダ１０９には、音声フレームF(t=n-4)、F(t=n-3)、F(t=n-2)と、再生時刻順に音声フレームが途切れなく送信されることとなり、結果、現用系のデジタルチューナ１０１で受信していたチャネルの音声から、代替チャネルの音声への、シームレスな音声切替が実現される。
【００３０】
次に、いま、図４ａに示した場合とは逆に、代替チャネルの放送データよりも、現用系のデジタルチューナ１０１で受信しているチャネルの放送データが、２音声フレーム相当分遅延しているものとする。
また、待機系の入力バッファ１０４への代替チャネルの音声フレームの格納が開始された後に、現用系のデジタルチューナ１０１が最初に受信した音声フレームが音声フレームF(t=n-4)であり、待機系のデジタルチューナ１０１が最初に受信した音声フレームが音声フレームF(t=n-2)であるものとする。
【００３１】
すると、この場合、待機系の入力バッファ１０４への代替チャネルの音声フレームの格納開始前に現用系の入力バッファ１０４に格納された音声フレームのオーディオデコーダ１０９への転送が完了した時点では、図４ｂに示すように現用系の入力バッファ１０４には、F(t=n-4)以降の音声フレームが格納され、待機系の入力バッファ１０４にはF(t=n-2)以降の音声フレームが格納された状態となる。
【００３２】
そして、この時点で、入力バッファ切替処理は、ｍ=５として説明すると、現用系の入力バッファ１０４の５番目（N0.5)の音声フレームF(t=n)と一致する音声フレームを待機系の入力バッファ１０４から探索する。そして、この場合には、待機系の入力バッファ１０４の3番目（N0.3)の音声フレームF(t=n)が探索される。
【００３３】
また、探索された音声フレームが3番目の音声フレームであるので、ｋ=3、ｐ=ｋ-ｍ=-２となる。
次に、ｎを-ｐ以上の正の整数のうちの最小の数とすることとすると、ｎ=2となるので、
現用系の入力バッファ１０４の２番目の音声フレームF(t=n-3)のオーディオデコーダ１０９への転送が完了したならば、入力バッファ切替処理は、現用系の入力バッファ１０４からの音声フレームのオーディオデコーダ１０９の転送を終了し、待機系の入力バッファ１０４の音声フレームのオーディオデコーダ１０９への転送を、待機系の入力バッファ１０４のｎ+ｐ+1=1番目の音声フレームF(t=n-2)から開始する。
【００３４】
結果、オーディオデコーダ１０９には、音声フレームF(t=n-4)、F(t=n-3)、F(t=n-2)、F(t=n-1)と、再生時刻順に音声フレームが途切れなく送信されることとなり、結果、現用系のデジタルチューナ１０１で受信していたチャネルの音声から、代替チャネルの音声への、シームレスな音声切替が実現される。
【００３５】
以上、本発明の実施形態について説明した。
以上のように本実施形態によれば、オーディオデコーダ１０９などを２系統備えずとも、デジタルチューナ１０１と多重分離部１０２と音声フレーム復元部１０３と入力バッファ１０４とを２系統備えれば、遅延のある放送チャネル間のシームレスな音声の切替を実現することができる。
【符号の説明】
【００３６】
１０１…デジタルチューナ、１０２…多重分離部、１０３…音声フレーム復元部、１０４…入力バッファ、１０５…表示部、１０６…操作部、１０７…制御部、１０８…バッファ制御部、１０９…オーディオデコーダ、１１０…出力バッファ、１１１…ＤＡＣ、１１２…アンプ、１１３…スピーカ。
【図１】
2014154989.tif 000003
【図２】
2014154989.tif 000004
【図３】
2014154989.tif 000005
【図４】
2014154989.tif 000006